(57)【要約】【課題】参考にするべきコンテンツであるか否かを評価すること。【解決手段】評価装置１００は、撮影装置によって撮影された所定の制度の審査基準に関連するコンテンツと、撮影者が撮影装置を用いてコンテンツを撮影する際の操作の特徴情報とを対応付けた撮影情報を受信する。評価装置１００は、撮影情報を受信する度に、特徴情報を基にして特徴情報に対応するコンテンツの評価値を算出し、算出した評価値と、コンテンツとを対応付けて記憶する。【選択図】図１
2019144644.tif 000002
【特許請求の範囲】
【請求項１】
撮影装置によって撮影された所定の制度の審査基準に関連するコンテンツと、撮影者が前記撮影装置を用いて前記コンテンツを撮影する際の操作の特徴情報とを対応付けた撮影情報を受信する受信部と、
前記受信部が前記撮影情報を受信する度に、前記特徴情報を基にして前記特徴情報に対応するコンテンツの評価値を算出する評価部と、
前記受信部が前記撮影情報を受信する度に、前記コンテンツと、前記評価部の評価結果とを対応付けて記憶する記憶部と、
を有することを特徴とする評価装置。
【請求項２】
前記コンテンツの表示要求を受けつけた場合に、前記記憶部に記憶された各コンテンツの評価結果を基にして、各コンテンツを並べて表示する表示制御部を更に有することを特徴とする請求項１に記載の評価装置。
【請求項３】
前記特徴情報は、前記コンテンツの撮影時刻付近における前記撮影者の歩数と、前記コンテンツを撮影した撮影回数とを含み、前記評価部は、前記特徴情報を基にして、前記撮影者の歩数が少なく、かつ、前記撮影回数が多いほど、前記評価値を大きくすることを特徴とする請求項１または２に記載の評価装置。
【請求項４】
前記特徴情報は、前記コンテンツに対して拡大操作を行ったか否かを示す情報を更に含み、前記評価部は、拡大操作を行ったコンテンツの評価値に加算する値を、拡大操作を行っていないコンテンツの評価値に加算する値よりも大きくすることを特徴とする請求項１、２または３に記載の評価装置。
【請求項５】
前記特徴情報は、前記コンテンツに対して書き込み操作が行われたか否かを示す情報を更に含み、前記評価部は、前記書き込み操作を行ったコンテンツの評価値に加算する値を、前記書き込み操作を行っていないコンテンツの評価値に加算する値よりも大きくすることを特徴とする請求項１〜４のいずれか一つに記載の評価装置。
【請求項６】
前記特徴情報は、前記コンテンツを撮影した撮影位置の情報を更に含み、前記評価部は、撮影位置の変化が少なく、かつ、歩数の増加が閾値以上となる間に撮影されたコンテンツの評価値に加算する値を、撮影位置の変化が大きい、または、歩数の増加が閾値未満となる間に撮影されたコンテンツの評価値に加算する値よりも大きくすることを特徴とする請求項１〜５のいずれか一つに記載の評価装置。
【請求項７】
前記撮影情報は、前記コンテンツを撮影した撮影者が熟練者であるか否かを示す情報を含み、前記評価部は、前記熟練者であるか否かを示す情報を基にして、前記評価値を補正することを特徴とする請求項１〜６のいずれか一つに記載の評価装置。
【請求項８】
コンピュータが実行する評価方法であって、
撮影装置によって撮影された所定の制度の審査基準に関連するコンテンツと、撮影者が前記撮影装置を用いて前記コンテンツを撮影する際の操作の特徴情報とを対応付けた撮影情報を受信し、
前記撮影情報を受信する度に、前記特徴情報を基にして前記特徴情報に対応するコンテンツの評価値を算出し、
前記撮影情報を受信する度に、前記コンテンツと、前記評価値とを対応付けて記憶装置に記憶する
処理を実行することを特徴とする評価方法。
【請求項９】
コンピュータに、
撮影装置によって撮影された所定の制度の審査基準に関連するコンテンツと、撮影者が前記撮影装置を用いて前記コンテンツを撮影する際の操作の特徴情報とを対応付けた撮影情報を受信し、
前記撮影情報を受信する度に、前記特徴情報を基にして前記特徴情報に対応するコンテンツの評価値を算出し、
前記撮影情報を受信する度に、前記コンテンツと、前記評価値とを対応付けて記憶装置に記憶する
処理を実行させることを特徴とする評価プログラム。
【発明の詳細な説明】
【技術分野】
【０００１】
本発明は、評価装置等に関する。
【背景技術】
【０００２】
食品事故などの問題を未然に防止するために、食の安全や食品の衛生を管理する手法が制度化されている。このような制度には、ＪＧＡＰ（Japan  Good  Agricultural  Practice）や、ＨＡＣＣＰ（Hazard  Analysis  and  Critical  Control  Point）、ＦＣＰ（Food  Communication  Project）共通工場管理、ＡＩＢ、ＪＩＢ、ＩＳＯ２２０００などがある。
【０００３】
上記の各制度では、第三者機関により審査が行われ、制度に基づく審査基準を満たした農場に対して、認証が与えられる。たとえば、農場がＪＧＡＰの認証を受けるためには、「ＪＧＡＰ農場用管理と適合基準」を満たす必要がある。以下の説明では、ＪＧＡＰ、ＨＡＣＣＰ、ＦＣＰ共通工場管理、ＡＩＢ、ＪＩＢ、ＩＳＯ２２０００などの制度に基づく審査基準を、適宜、審査基準と表記する。
【０００４】
ここで、審査基準の内容は複雑であり複数のチェック項目が存在するため、農場の管理者自身が審査基準の内容を理解し、農場を改善することは難しい。このため、農場の管理者による、審査基準の理解を深めるために、審査基準の指導員は、農場の現場において、審査基準を満たすよい例を見つけた場合には、かかる現場の写真撮影を行い、撮影した写真を農場の管理者に提示するなどの対応を行っている。
【０００５】
また、従来技術には、衛生管理評価に関して、検査者等が現場で撮影した画像データをサーバに蓄積しておき、閲覧者がかかるサーバにアクセスすることで、画像データを閲覧可能とする技術がある。
【先行技術文献】
【特許文献】
【０００６】
【特許文献１】特開２０１３−２１１９０４号公報
【特許文献２】特開２０１１−１６０２８５号公報
【特許文献３】特開２０１１−０１７０５０号公報
【発明の概要】
【発明が解決しようとする課題】
【０００７】
しかしながら、上述した従来技術では、参考にするべきコンテンツであるか否かを評価することができないという問題がある。
【０００８】
たとえば、従来技術では、現場で撮影された画像データが順次サーバに蓄積され、画像データの量が膨大なものになる。このため、利用者が、閲覧対象となる画像データを検索するために多くの時間を要してしまう。また、サーバに蓄積される画像データには、審査基準の内容を理解するうえでよい例となる画像データが含まれる場合もあれば、審査基準の内容を理解するうえであまりよくない画像データが含まれる場合もある。よい例、悪い例の画像データを見分けることは、経験の浅い利用者には難しい場合がある。
【０００９】
また、画像データを撮影した利用者が、サーバに蓄積された各画像データを参照して画像データを評価してもよいが、撮影してからしばらく時間が経過していると、なぜ該当する画像データを撮影したのかを忘れてしまう場合がある。
【００１０】
１つの側面では、本発明は、参考にするべきコンテンツであるか否かを評価することができる評価装置、評価方法および評価プログラムを提供することを目的とする。
【課題を解決するための手段】
【００１１】
第１の案では、評価装置は、受信部と、評価部と、記憶部とを有する。受信部は、撮影装置によって撮影された所定の制度の審査基準に関連するコンテンツと、撮影者が撮影装置を用いてコンテンツを撮影する際の操作の特徴情報とを対応付けた撮影情報を受信する。評価部は、受信部が前記撮影情報を受信する度に、特徴情報を基にして特徴情報に対応するコンテンツの評価値を算出する。記憶部は、受信部が撮影情報を受信する度に、コンテンツと、評価部の評価結果とを対応付けて記憶する。
【発明の効果】
【００１２】
参考にするべきコンテンツであるか否かを評価することができる。
【図面の簡単な説明】
【００１３】
【図１】図１は、本実施例に係るシステムの構成を示す図である。
【図２】図２は、ログイン画面の一例を示す図である。
【図３】図３は、農場選択画面の一例を示す図である。
【図４】図４は、指導条件受付画面の一例を示す図である。
【図５】図５は、項目選択画面の一例を示す図（１）である。
【図６】図６は、項目選択画面の一例を示す図（２）である。
【図７】図７は、記録画面の一例を示す図である。
【図８】図８は、コメントが入力された画像データの一例を示す図である。
【図９】図９は、事例画面の一例を示す図である。
【図１０】図１０は、本実施例に係る評価装置の構成を示す機能ブロック図である。
【図１１】図１１は、ＪＧＡＰ基準データのデータ構造の一例を示す図である。
【図１２】図１２は、図１１の小項目に含まれるチェック項目の一例を示す図である。
【図１３】図１３は、指導員テーブルのデータ構造の一例を示す図である。
【図１４】図１４は、検査テーブルのデータ構造の一例を示す図である。
【図１５】図１５は、撮影情報テーブルのデータ構造の一例を示す図である。
【図１６】図１６は、評価テーブルのデータ構造の一例を示す図である。
【図１７】図１７は、事例画面ファイルのデータ構造の一例を示す図である。
【図１８】図１８は、本実施例に係る端末装置の処理手順を示すフローチャートである。
【図１９】図１９は、本実施例に係る評価装置の処理手順を示すフローチャートである。
【図２０】図２０は、評価装置と同様の機能を実現するコンピュータのハードウェア構成の一例を示す図である。
【発明を実施するための形態】
【００１４】
以下に、本願の開示する評価装置、評価方法および評価プログラムの実施例を図面に基づいて詳細に説明する。なお、この実施例によりこの発明が限定されるものではない。
【実施例】
【００１５】
図１は、本実施例に係るシステムの構成を示す図である。図１に示すように、このシステムは、評価装置１００と、端末装置３０ａ，３０ｂとを有する。たとえば、評価装置１００および端末装置３０ａ，３０ｂは、ネットワーク５０を介して相互に接続される。ここでは一例として、端末装置３０ａ，３０ｂを示すが、その他の端末装置がネットワーク５０に接続されていてもよい。
【００１６】
端末装置３０ａ，３０ｂは、たとえば、指導員がＪＧＡＰ等の審査基準を満たすべく、農場の管理者などに指導する際に利用する端末装置である。たとえば、端末装置３０ａ，３０ｂは、スマートフォン、タブレット型ＰＣなどの指導員が携帯して使用可能な携帯端末装置である。端末装置３０ａはカメラ３５ａを有し、端末装置３０ｂはカメラ３５ｂを有する。以下の説明では、特に区別する場合を除いて、端末装置３０ａ，３０ｂをまとめて、端末装置３０と表記する。カメラ３５ａ，３５ｂをまとめて、カメラ３５と表記する。
【００１７】
本実施例では一例として、ＪＧＡＰの審査基準を用いて説明するが、これに限定されるものではなく、ＨＡＣＣＰ、ＦＣＰ共通工場管理、ＡＩＢ、ＪＩＢ、ＩＳＯ２２０００などの審査基準であってもよい。また、本実施例では、指導員が端末装置３０を用いて、農場の管理者に指導・検査を行うことを想定して説明を行うが、他の利用者（審査員等）が農場を審査する場合に、端末装置３０を用いて審査を行ってもよい。
【００１８】
端末装置３０は、審査基準の各チェック項目を、所定の区分毎に複数の組に分類して表示することで、指導員が審査基準の各チェック項目を効率的に指導することが可能となる。ここで、指導員は、あるチェック項目について指導を行っている間に、審査基準に関連して、現場でよい例を見つけた場合には、端末装置３０のカメラ３５を操作して、現場を撮影する。端末装置３０は、カメラ３５で画像データが撮影された場合には「記録画像ファイル」を生成し、撮影情報を後述する評価装置１００に送信する。記録画像ファイルには、カメラ３５により撮影された画像データと、指導員がこの画像データを撮影する際の操作の特徴情報とが含まれる。
【００１９】
指導員が、各農場で上記作業を繰り返し実行することで、評価装置１００には、チェック項目毎に、審査基準を満たすよい例となる現場の、画像データが蓄積される。
【００２０】
また、指導員は、あるチェック項目について指導を行っている間に、端末装置３０を操作して、審査基準を満たす事例の画像データを、評価装置１００から読み出し、農場の管理者に提示する。これにより、農場の管理者は、指導員の指導に加えて、審査基準を満たすよい例の現場の画像データを閲覧でき、審査基準に関する理解を深めることができる。
【００２１】
評価装置１００は、審査基準に関する各種の情報を保持し、審査基準に関する各種の情報を、端末装置３０に提供することで、指導員が農場の管理者に指導を支援する装置である。たとえば、評価装置１００は、端末装置３０からアクセスを受け付けると、ＪＧＡＰの審査基準の各チェック項目を表示するツールやＷｅｂ（World  Wide  Web）の操作画面を端末装置３０に提供する。また、評価装置１００は、端末装置３０で実施されたＪＧＡＰの審査基準に対する審査結果の情報などの情報を収集して管理する。
【００２２】
また、評価装置１００は、チェック項目に対する画像データを要求された場合に、蓄積しておいた各画像データを端末装置３０に通知する。ここで、評価装置１００は、記録画像ファイルに含まれる特徴情報を基にして、画像データの評価値を算出しておく。評価装置１００は、チェック項目に対応する画像データを、端末装置３０に通知する場合に、評価値の高い画像データを優先して、端末装置３０に通知する。これにより、審査基準を理解するために、指導員が農場の管理者に参考にさせるべき画像データであるか否かを自動的に評価することができる。
【００２３】
続いて、指導員が農場の管理者に指導を行う際に、端末装置３０が行う処理および端末装置３０が表示する画面例について説明する。図示を省略するが、端末装置３０は、各種の情報を入力する入力装置、各種の情報を表示する表示装置を有している。たとえば、端末装置３０は、タッチパネルを有している。端末装置３０は、指導を開始する際に、評価装置１００にアクセスし、ログイン画面を表示する。
【００２４】
図２は、ログイン画面の一例を示す図である。たとえば、指導員は、端末装置３０を操作して、ログイン画面７０の入力領域７０ａに指導員ＩＤ（identification）およびパスワードを入力してログインする。指導員ＩＤは、指導員を一意に識別する情報である。端末装置３０は、ログイン画面７０で入力された指導員ＩＤおよびパスワードの情報を、評価装置１００に送信することで、評価装置１００にログイン要求を行う。
【００２５】
端末装置３０は、評価装置１００に対するログインに成功すると、農場一覧を表示する処理、指導条件を受け付ける処理を行う。農場一覧を表示する処理において、端末装置３０は、指導対象となる農場の名称を選択する農場選択画面を表示する。
【００２６】
図３は、農場選択画面の一例を示す図である。図３に示すように、農場選択画面７１は、農場選択領域７１ａを含む。たとえば、農場選択領域７１ａには、選択候補となる複数の農場の名称が列挙される。指導員は、端末装置３０を操作して、農場選択領域７１ａのいずれかの農場を選択する。端末装置３０は、農場が選択された後に、指導条件を受け付ける処理に移行する。
【００２７】
端末装置３０は、指導条件を受け付ける処理において、指導条件受付画面を表示する。図４は、指導条件受付画面の一例を示す図である。図４に示すように、この指導条件受付画面７２は、日付入力領域７２ａ、対象品目入力領域７２ｂ、指導対象項目入力領域７２ｃを有する。
【００２８】
日時入力領域７２ａは、指導対象となる農場を指導した日時（指導開始日時）を入力する領域である。日時入力領域７２ａの農場名には、図３の農場選択画面７１で選択された農場名が予め設定される。端末装置３０が、現在の日時を自動で、日時入力領域７２ａに入力してもよいし、指導員が、端末装置３０を操作して、日時を、日時入力領域７２ａに入力してもよい。
【００２９】
対象品目入力領域７２ｂは、指導対象となる農作物の種別を入力する領域である。例えば、指導員は農場の責任者との間で指導前の事前のヒアリングを行い、指導対象の農作物を判断し、端末装置３０を操作して、対象品目入力領域７２ｂに、農作物の名称を入力する。
【００３０】
指導対象項目入力領域７２ｃは、農場が農作物を生産する場合などの各種条件を入力する領域である。例えば、努力項目を指導対象とする場合には、指導員は端末装置３０を操作して、項目１ａにチェックを入れる。きのこ類を栽培している場合には、指導員は端末装置３０を操作して、項目１ｂにチェックを入れる。スプラウトを栽培している場合には、指導員は端末装置３０を操作して、項目１ｃにチェックを入れる。
【００３１】
農薬を使っている場合には、指導員は端末装置３０を操作して、項目１ｄにチェックを入れる。農場拡大を考えている場合には、指導員は端末装置３０を操作して、項目１ｅにチェックを入れる。国外への出荷をしている場合には、指導員は端末装置３０を操作して、項目１ｆにチェックを入れる。委託を行っている場合には、指導員は端末装置３０を操作して、項目１ｇにチェックを入れる。
【００３２】
ＧＧＡＰ同等認証を行う場合には、指導員は端末装置３０を操作して、項目１ｈにチェックを入れる。遺伝子組み換え農作物を扱っている場合には、指導員は端末装置３０を操作して、項目１ｉにチェックを入れる。ポストハーベストを行っている場合には、指導員は端末装置３０を操作して、項目１ｊにチェックを入れる。
【００３３】
指導員は、日付入力領域７２ａ、対象品目入力領域７２ｂ、指導対象項目入力領域７２ｃに情報を入力し終えた後に、端末装置３０を操作して、ボタン７２ｄを押下する。端末装置３０は、ボタン７２ｄの押下を受け付けると、日付入力領域７２ａ、対象品目入力領域７２ｂ、指導対象項目入力領域７２ｃに入力された情報を、支援装置１００に送信する。以下の説明では、適宜、日付入力領域７２ａ、対象品目入力領域７２ｂ、指導対象項目入力領域７２ｃに入力された情報を「入力情報」と表記する。
【００３４】
端末装置３０は、入力情報を、評価装置１００に送信すると、支援装置１００から、入力情報に対応する審査基準に関する項目選択画面の情報を受信する。図５および図６は、項目選択画面の一例を示す図である。図５に示すように、項目選択画面７３には、項目選択領域７３ａと表示領域７３ｂとが含まれる。指導員が、端末装置３０を操作して、項目選択領域７３ａのいずれかの項目を選択すると、選択された項目に対応するチェック項目が、表示領域７３ｂに表示される。
【００３５】
たとえば、端末装置３０は、項目「農場運営」が選択されると、図６に示すように、表示領域７３ｂに、項目「農場運営」に対応するチェック項目を表示する。
【００３６】
指導員は、表示領域７３ｂに表示された内容に従って、農場運営の管理者と話し合いを行い、端末装置３０を操作して、検査結果（チェック結果）を入力する。例えば、指導員は、各適合基準の項目について「ＯＫ」または「ＮＧ」を選択する。なお、「ＯＫ」または「ＮＧ」を今すぐに選択できない場合には、「保留」を選択しても良い。なお、審査結果により適合基準の「適合／不適合」が自動で判断される。端末装置３０は、入力された検査結果の情報を、評価装置１００に通知する。たとえば、検査結果の情報には、検査結果に加えて、検査ＩＤ、検査対象となった場所、検査を行った指導員の指導員ＩＤ、審査の対象となった項番、検査の実施日が付与されているものとする。項番は、チェック項目を一意に示すものである。
【００３７】
ここで、指導員は、指導（あるいは、審査）の途中で、指導の模範となるような良い事例を見つけた場合には、端末装置３０を介して、カメラ３５を操作し、良い事例（現場）の画像を撮影する。たとえば、指導員は、図６等の項目選択画面７３の記録ボタン７３ｃを押下すると、端末装置３０は、記録画面を表示する。
【００３８】
図７は、記録画面の一例を示す図である。図７に示すように、この記録画面７４は、画像表示領域７４ａと、コメント入力領域７４ｂと、関連項番７４ｃと、撮影ボタン７４ｄとを有する。画像表示領域７４ａは、カメラ３５によって撮影された画像データが表示する領域である。コメント入力領域７４ｂは、指導員のコメントを入力する領域である。関連項番７４ｃは、チェック項目と対応付ける情報である。例えば、関連項番７４ｃが「１．２．１」の場合には、対応するチェック項目は項番「１．２．１」となる。関連項番７４ｃの情報は、指導員が端末装置３０を操作して、手動で入力してもよいし、端末装置３０が自動で入力してもよい。
【００３９】
たとえば、図７に示すように、項番「１．２．１」のチェック項目を表示している最中に、カメラ３５によって画像が撮影された場合には、端末装置３０は、記録画面７４を表示させると共に、関連項番７４ｃに、該当する項番「１．２．１」を自動で入力する。その他の、どのような従来技術を用いて、端末装置３０は、関連項番７４ｃに、該当する項番を入力してもよい。
【００４０】
端末装置３０は、指導員によってボタン７４ｄが押下された場合には、画像表示領域７４ａに表示された（カメラ３５に撮影された）画像データを、記録画像ファイルに登録する。たとえば、「記録画像ファイル」は、端末ＩＤと、指導員ＩＤと、画像ＩＤと、コメントと、項番と、画像データと、撮影場所と、歩数と、拡大フラグと、コメントフラグとを対応付けた情報である。
【００４１】
端末ＩＤは、画像データを撮影した端末装置３０を一意に識別する情報である。端末装置３０毎に、端末ＩＤは予め設定されており、端末装置３０は、予め設定された端末ＩＤを、記録画像ファイルに格納する。指導員ＩＤは、指導員を一意に識別する情報である。たとえば、端末装置３０は、図２で説明したログイン画面で入力された指導員ＩＤを、記録画像ファイルに格納する。画像ＩＤは、画像データを一意に識別する情報である。端末装置３０は、画像データが撮影された場合に、ユニークな画像ＩＤを割り当て、記録画像ファイルに格納する。
【００４２】
コメントは、コメント入力領域７４ｂに入力されたコメントの情報である。端末装置３０は、コメント入力領域７４ｂに入力されたコメントの情報を、記録画像ファイルに格納する。画像データは、指導員によってボタン７４ｄが押下された際の、画像表示領域７４ａに表示される画像データである。なお、指導員は、タッチペン等を用いて、画像表示領域７４ａにコメントを書き込んでもよい。
【００４３】
項番は、チェック項目を示す情報である。撮影場所は、図３で説明した農場選択領域７１ａで選択された情報を示す。端末装置３０は、撮影場所の情報を、記録画像ファイルに格納する。
【００４４】
歩数は、指導員の歩数を示す。たとえば、端末装置３０は、加速度センサ（図示略）を有しており、加速度センサに測定される垂直方向の加速度を取得し、加速度を基にして、指導員の歩数をカウントする。端末装置３０は、カウントした指導員の歩数を、記録画像ファイルに格納する。
【００４５】
拡大フラグは、撮影された画像データに対して拡大操作が行われたか否かを示す情報である。たとえば、端末装置３０は、カメラ３５に撮影された画像データを、画像表示領域７４ａ等に表示し、指導員に閲覧させてもよい。端末装置３０は、指導員によって、画面表示領域７４ａ等に表示された画像データの拡大操作が行われた場合には、画像データを拡大表示する。また、端末装置３０は、画像データの拡大操作が行われた場合には、記録画像ファイルの拡大フラグを「オン」に設定する。一方、端末装置３０は、画像データの拡大操作が行われていない場合には、記録画像ファイルの拡大フラグを「オフ」に設定する。図示を省略するが、端末装置３０は、画面表示領域７４ａに拡大ボタン等を設定し、指導員により、かかる拡大ボタンが押下された場合に、画像データを拡大してもよい。
【００４６】
コメントフラグは、撮影された画像データに対してコメントの書き込みが行われたか否かを示す情報である。たとえば、端末装置３０は、カメラ３５に撮影された画像データを、画像表示領域７４ａ等に表示し、指導員にコメントを書き込ませてもよい。端末装置３０は、指導員によって、画面表示領域７４ａ等に表示された画像データにコメントが書き込まれた場合には、記録画像ファイルのコメントフラグを「オン」に設定する。一方、端末装置３０は、画像データにコメントが書き込まれていない場合には、記録画像ファイルのコメントフラグを「オフ」に設定する。
【００４７】
図８は、コメントが入力された画像データの一例を示す図である。たとえば、図８の画像表示領域７４ａに表示された画像データには、「良い見本」なるコメントが書き込まれている。端末装置３０は、かかるコメントの書き込みを検出した場合には、記録画像ファイルのコメントフラグを「オン」に設定する。
【００４８】
ところで、指導員は、指導の途中で、指導の模範となるようなよい事例を、指導の対象となる農場の管理者に閲覧させる場合には、端末装置３０を操作して、図６の項目選択画面７３で示した、事例ボタン７３ｄを押下する。端末装置３０は、事例ボタン７３ｄの押下を受け付けると、現在選択されている項目の項番を設定した「事例画面要求」を、評価装置１００に送信する。
【００４９】
端末装置３０は、事例画面要求の応答となる「事例画面ファイル」を、評価装置１００から受信した場合に、事例画面を表示する。図９は、事例画面の一例を示す図である。図９に示すように、この事例画面８０は、一覧表示領域８１と、画像表示領域８２とを有する。端末装置３０は、一覧表示領域８１に、事例画面ファイルに含まれる各画像データのサムネイル画像を、優先順に、一覧表示する。各画像データの優先度は、事例画面ファイルに設定されているものとする。たとえば、一覧表示領域８１には、サムネイル画像８１ａ，８１ｂ，８１ｃ，８１ｄ，８１ｅが表示されている。最も優先度の高い画像データのサムネイル画像ほど、一覧表示領域８１の左側に表示されるものとする。なお、端末装置３０は、サムネイル画像８１ａ〜８１ｅ以外のサムネイル画像を、一覧表示領域８１に表示させてもよい。
【００５０】
画像表示領域８２は、一覧表示領域８１のサムネイル画像８１ａ〜８１ｅのうち、指導員に選択されたサムネイル画像の画像データを表示する領域である。たとえば、指導員は、一覧表示領域８１に表示されたサムネイル画像８１ａ〜８１ｅを参照し、現在の項目（審査基準）に関連して、指導の模範となるようなよい事例として、最適であると考えるサムネイル画像を選択する。
【００５１】
たとえば、指導員は、端末装置３０を操作して、サムネイル画像８１（８１ａ〜８１ｅのいずれか）を選択すると、端末装置３０は、選択されたサムネイル画像８１に対応する画像データを、画像表示領域８２に表示させる。ここで、指導員は、画像表示領域８２に表示されている画像データをより詳細に、管理者に閲覧させたい場合には、拡大ボタン８３を押下することで、画像表示領域８２に表示された画像データを拡大表示させる。端末装置３０は、拡大ボタン８３が押下されると、画像表示領域８２の画像データの基準位置を中心として、画像データを拡大表示する。基準位置は、画像データの中心位置であってもよいし、指導員が適宜指定してもよい。
【００５２】
指導員は、他の画像データを、画像表示領域８２に表示させたい場合には、現在選択しているサムネイル画像以外のサムネイル画像を選択する。また、指導員は、事例画面８０の表示を終了させる場合には、戻るボタン８４を押下する。
【００５３】
端末装置３０は、審査基準に関する各項目について、上記処理を繰り返し実行する。
【００５４】
次に、本実施例に係る評価装置１００の構成について説明する。図１０は、本実施例に係る評価装置の構成を示す機能ブロック図である。図１０に示すように、この評価装置１００は、通信部１１０と、記憶部１２０と、制御部１３０とを有する。
【００５５】
通信部１１０は、ネットワーク５０を介して、端末装置３０ａ，３０ｂやその他の外部装置とデータ通信を実行する処理部である。通信部１１０は、通信装置に対応する。後述する制御部１３０は、通信部１１０を介して、端末装置３０とデータをやり取りする。
【００５６】
記憶部１２０は、ＪＧＡＰ基準データ１２１、条件テーブル１２２、指導員テーブル１２３、検査テーブル１２４、撮影情報テーブル１２５、評価テーブル１２６を有する。記憶部１２０は、たとえば、ＲＡＭ（Random  Access  Memory）、ＲＯＭ（Read  Only  Memory）、フラッシュメモリ（Flash  Memory）などの半導体メモリ素子などの記憶装置に対応する。
【００５７】
ＪＧＡＰ基準データ１２１は、農作物に関して予め定められた基準を満たしているか否かの審査対象となる所定の順序で並んだ複数のチェック項目を有するデータである。図１１は、ＪＧＡＰ基準データのデータ構造の一例を示す図である。図１２は、図１１の小項目に含まれるチェック項目の一例を示す図である。
【００５８】
図１１に示すように、ＪＧＡＰ基準データ１２１は、大項目、中項目、小項目に分類されている。例えば、大項目「Ａ．農場運営と販売管理」には、中項目「１．農業運営」、「２．計画と記録」、「３．販売管理とトレーサビリティ」が含まれる。例えば、中項目「１．農場運営」には、小項目「１．１基本姿勢」、「１．２経営資源の管理」、「１．３外部委託管理」、「１．４農場のルール違反の改善と自己点検」が含まれる。
【００５９】
図１２に示すように、図１１の小項目には、チェック項目が対応付けられる。チェック項目は、例えば、項番、レベル、管理点、適合基準、備考の属性を有する。項番は、チェック項目を一意に識別する番号である。レベルは、チェック項目の重要度を示すものである。レベルには、必須、重要、努力が存在し、重要度の大小関係は、「努力＜重要＜必須」となる。管理点および適合基準は、ＪＧＡＰ基準によって要求される基準が規定されている。備考は、補足説明を示す。各チェック項目に対応する検査の結果は、後述する検査テーブル１２４に格納される。
【００６０】
条件テーブル１２２は、指導員がＪＧＡＰ基準の指導を行う場合の条件と、各条件に該当するチェック項目の項番とを対応付けるテーブルである。たとえば、ＪＧＡＰ基準の指導を行う場合の条件は、図４で説明した、対象品目入力領域７２ｂに入力される情報および指導対象項目入力領域７２ｃに入力される情報に対応する。条件テーブル１２２のデータ構造の説明は、省略する。
【００６１】
指導員テーブル１２３は、指導員に関する情報を保持するテーブルである。図１３は、指導員テーブルのデータ構造の一例を示す図である。図１３に示すように、指導員テーブル１２３は、指導員ＩＤと、氏名と、パスワードと、熟練度と、経験年数と、生年月日とを対応付ける。指導員ＩＤは、指導員を一意に識別する情報である。氏名は、指導員の氏名である。パスワードは、各指導員ＩＤに割り当てられるパスワードである。
【００６２】
熟練度は、ＪＧＡＰの検査に対する指導員の熟練度を複数の段階で示すものである。検査のスキルが高いほど熟練度が高いものとしている。指導員は、ＪＧＡＰ基準に関する十分な知識があるものの、現場での経験等により、熟練度に差異が生じる。熟練度には、上級者、中級者、初心者が存在し、熟練度の大小関係は、「上級者＞中級者＞初級者」となる。
【００６３】
経験年数は、ＪＧＡＰの指導・検査に関する指導員を経験した累計年数を示す。生年月日は、指導員の生年月日を示すものである。
【００６４】
例えば、図１３の指導員ＩＤ「Ｓ０００１」の指導員は、氏名が「富士太郎」であり、パスワードが「××××」であり、熟練度が「上級者」であり、経験年数が「１０年」であり、生年月日が「○○年○○月○○」であることが記憶されている。
【００６５】
検査テーブル１２４は、指導員が実施した検査に関する情報を保持するテーブルである。図１４は、検査テーブルのデータ構造の一例を示す図である。図１４に示すように、この検査テーブル１２４は、検査ＩＤ、検査対象、実施指導員ＩＤ、項番、実施日および結果の項目を有する。
【００６６】
検査ＩＤは、検査を一意に識別する番号である。検査ＩＤは、農場などの検査対象に対して実施する検査ごとに、新たに採番される。検査対象は、検査の実施対象を示すものであり、本実施例では、検査の実施対象を、農場など検査を実施した場所で示す。実施指導員ＩＤは、検査を行った指導員を一意に示す情報（指導員ＩＤ）である。
【００６７】
項番は、検査の対象となったチェック項目の項番および適合基準を示す。実施日は、項番に対応するチェック項目の検査を実施した日付を示す。結果は、項番に対するチェック項目の検査結果を示すものである。結果は、基準を満たしていれば、「ＯＫ」とされ、基準を満たしていなければ「ＮＧ」とされる。
【００６８】
たとえば、図１４の１行目は、検査ＩＤ「Ｅ０００１」の検査において、検査対象「農場Ａ」に対して、実施指導員ＩＤ「Ｓ０００１」の指導員により、図１２に示す項番「１．１．１」の検査が「２０１７年９月１日」に行なわれ、結果が「ＯＫ」であることを示す。また、図１４の２行目は、検査ＩＤ「Ｅ０００１」の検査において、検査対象「農場Ａ」に対して、実施指導員ＩＤ「Ｓ０００１」の指導員により、図１２に示す項番「１．１．２」の適合基準「（１）」の検査が「２０１７年９月１日」に行なわれ、結果が「ＯＫ」であることを示す。
【００６９】
撮影情報テーブル１２５は、指導員による審査において撮影された画像に関する情報を保持するテーブルである。図１５は、撮影情報テーブルのデータ構造の一例を示す図である。図１５に示すように、この撮影情報テーブル１２５は、端末ＩＤと、指導員ＩＤと、画像ＩＤと、コメントと、項番と、画像データと、撮影場所と、歩数と、拡大フラグと、コメントフラグとを対応付ける。撮影情報テーブル１２５に含まれる端末ＩＤ、指導員ＩＤ、画像ＩＤ、コメント、項番、画像データ、撮影場所、歩数、拡大フラグ、コメントフラグに関する説明は、上述した記録画像ファイルで説明したものと同様である。
【００７０】
評価テーブル１２６は、指導員により撮影された画像データの評価結果を格納するテーブルである。図１６は、評価テーブルのデータ構造の一例を示す図である。図１６に示すように、評価テーブル１２６は、画像ＩＤと、評価値とを対応付ける。画像ＩＤは、画像データを一意に識別する情報である。評価値は、画像データが事例としてよい例である度合いを示す数値であり、評価値が大きいほど、事例としてよい例であることを示し、優先順位が高くなることを意味する。
【００７１】
図１０の説明に戻る。制御部１３０は、受付部１３１と、評価部１３２と、表示制御部１３３とを有する。制御部１３０は、例えば、ＡＳＩＣ（Application  Specific  Integrated  Circuit）や、ＦＰＧＡ（Field  Programmable  Gate  Array）などの集積装置に対応する。また、制御部１３０は、例えば、ＣＰＵやＭＰＵ（Micro  Processing  Unit）等の電子回路に対応する。
【００７２】
受付部１３１は、端末装置３０から各種の情報を受け付ける処理部である。たとえば、受付部１３１は、ログインを受け付ける処理、入力情報を受け付ける処理、検査結果の情報を受け付ける処理、記録画像ファイルを受け付ける処理、事例画面要求を受け付ける処理を行う。
【００７３】
受付部１３１が、ログインを受け付ける処理について説明する。受付部１３１は、端末装置３０から、ログイン要求として、ログイン画面７０で入力された指導員ＩＤおよびパスワードの情報を受け付ける。受付部１３１は、受け付けた指導員ＩＤおよびパスワードと、指導員テーブル１２３とを比較し、指導員ＩＤおよびパスワードの組が、指導員テーブル１２３に存在する場合に、ログイン要求を受け付ける。
【００７４】
受付部１３１は、ログイン要求を受け付けた場合に、ログイン要求を受け付けた旨を、表示制御部１３３に出力することで、表示制御部１３３は、農場選択画面７１、指導条件受付画面７２の情報を、端末装置３０に送信して、表示させる。
【００７５】
受付部１３１が、入力情報を受け付ける処理について説明する。たとえば、入力情報は、指導条件受付画面７２の日付入力領域７２ａ、対象品目入力領域７２ｂ、指導対象項目入力領域７２ｃに入力された情報を示す。
【００７６】
受付部１３１は、入力情報を受け付けると、受け付けた入力情報と、条件テーブル１２２とを比較することで、入力情報に対応する項番を特定する。受付部１３１は、特定した項番に対応するチェック項目の情報を、ＪＧＡＰ基準データ１２１から抽出し、抽出したチェック項目の情報を、表示制御部１３３に出力する。受付部１３１が、チェック項目の情報を、表示制御部１３３に出力することで、表示制御部１３３は、項目選択画面７３の情報を、端末装置３０に送信して、表示させる。
【００７７】
受付部１３１が、検査結果の情報を受け付ける処理について説明する。受付部１３１は、検査結果を受け付けた場合には、検査結果の情報を、検査テーブル１２４に格納する。検査結果の情報は、図６などで説明した、項目選択画面７３の表示領域７３ｂに対して、指導員が入力する情報である。なお、検査結果の情報には、検査ＩＤ、検査対象、実施指導員ＩＤ、実施日、結果が含まれる。
【００７８】
受付部１３１が、記録画像ファイルを受け付ける処理について説明する。受付部１３１は、記録画像ファイルを受け付けた場合には、記録画像ファイルの情報を、撮影情報テーブル１２５に登録する。
【００７９】
また、受付部１３１は、記録画像ファイルを受信した際に、割り当てた画像ＩＤを、評価テーブル１２６に追加登録する。受付部１３１は、追加登録した画像ＩＤに対応する評価値を初期値に設定する。たとえば、受付部１３１は、初期値をどのように設定してもよい。初期値を予め設定しておいてもよいし、受付部１３１は、既に登録されている評価値の平均値、中央値などを初期値として用いてもよい。
【００８０】
受付部１３１が、事例画面要求を受け付ける処理について説明する。受付部１３１は、事例画面要求を受け付けた場合には、事例画面要求を受け付けた旨の情報を、表示制御部１３３に出力する。これにより、表示制御部１３３は、事例画面ファイルの情報を、端末装置３０に送信して、表示させる。
【００８１】
評価部１３２は、画像データに対する評価値を、画像を撮影する際の操作の特徴情報を基にして評価値を算出する処理部である。たとえば、特徴情報は、歩数、撮影回数、拡大フラグ、コメントフラグに対応する。ここで、撮影回数は、指導員があまり移動しないで、連続で画像データを撮影した回数を示すものである。評価部１３２は、次のように処理を行って、撮影回数を特定してもよい。評価部１３２は、ある場所において、画像データの撮影が開始された際の歩数を「基準歩数」とし、この基準歩数からの増加歩数が閾値未満となる歩数までに撮影された画像データの数を、撮影回数とする。
【００８２】
評価部１３２は、基準歩数をどのように特定してもよい。たとえば、評価部１３２は、撮影情報テーブル１２５の歩数を走査し、前後の歩数の差が「１歩」以下となる一連のレコードを特定し、特定したレコードのうち、最も少ない歩数を、基準歩数として特定する。たとえば、図１５に示す例では、前後の歩数の差が「１歩」以下となる一連のレコードは、画像ＩＤ「Ｇ１００１〜Ｇ１００４」のレコードとなる。画像ＩＤ「Ｇ１００１〜Ｇ１００４」のレコードに含まれる歩数のうち、最も少ない歩数は「１０００歩」であるため、基準歩数は「１０００歩」となる。
【００８３】
評価部１３２は、前後の歩数の差が「１歩」以下となる一連のレコードの集まり毎に、基準歩数と、撮影回数を算出する。また、評価部１３２は、前後の歩数の差が「１歩」以下となる一連のレコード（画像ＩＤ）を同一のグループに分類する処理を行う。
【００８４】
続いて、評価部１３２が、画像データの評価値を算出する処理の一例について説明する。たとえば、評価部１３２は、画像データの評価値を、式（１）に基づいて算出する。
【００８５】
評価値＝β×（α×撮影回数＋第１補正値＋第２補正値）・・・（１）
【００８６】
式（１）において、αは、予め設定される補正係数である。撮影回数は、画像ＩＤ（評価値の算出対象となる画像データの画像ＩＤ）が属するグループの撮影回数に対応する。
【００８７】
第１補正値は、画像ＩＤに対応する拡大フラグが「オン」の場合に「１」となり、画像ＩＤに対応する拡大フラグが「オフ」の場合に「０」となる補正値である。第２補正値は、画像ＩＤに対応するコメントフラグが「オン」の場合に「１」となり、画像ＩＤに対応するコメントフラグが「オフ」の場合に「０」となる補正値である。
【００８８】
βは、画像ＩＤを撮影した指導員の熟練度に応じた値となる。評価部１３２は、画像ＩＤと、撮影情報テーブル１２５との比較により、指導員ＩＤと特定し、特定した指導員ＩＤと、指導員テーブルとの比較により、熟練度を特定する。たとえば、指導員の熟練度が「上級者」である場合のβをβ１とする。指導員の熟練度が「中級者」である場合のβをβ２とする。指導員の熟練度が「初級者」である場合のβをβ３とする。βの大小関係を、「β１＞β２＞β３」とする。
【００８９】
評価部１３２によって算出される画像データの評価値は、次のような特徴がある。画像データの評価値は、撮影回数のより多いグループに属する画像データほど、大きくなる。画像データの評価値は、指導員に拡大操作されたものほど、大きくなる。画像データの評価値は、指導員にコメントが書き込まれたものほど、大きくなる。画像データの評価値は、熟練の指導員に撮影されたものほど、大きくなる。
【００９０】
評価部１３２は、画像データ毎に上記処理を繰り返し実行し、画像ＩＤと評価値とを対応付けて、評価テーブル１２６に登録する。
【００９１】
表示制御部１３３は、上述した受付部１３１と協働して、各種の画面情報を端末装置３０に送信して、表示させる処理部である。
【００９２】
表示制御部１３３は、ログイン要求を受け付けた旨を、受付部１３１から取得した場合には、農場選択画面７１、指導条件受付画面７２の情報を、端末装置３０に送信して、表示させる。
【００９３】
表示制御部１３３は、入力情報に対応するチェック項目の情報を、受付部１３１から取得した場合には、項目選択画面７３の情報を、端末装置３０に送信して、表示させる。
【００９４】
表示制御部１３３は、事例画面要求を受け付けた旨の情報を、受付部１３１から取得した場合には、事例画面ファイルの情報を、端末装置３０に送信して、表示させる。以下において、表示制御部１３３が、事例画面ファイルの情報を生成する処理の一例について説明する。
【００９５】
事例画面要求には、チェック項目を一意に識別する項番が含まれている。以下の説明では、適宜、事例表示要求に含まれる項番を「キー項番」と表記する。表示制御部１３３は、キー項番と、撮影情報テーブル１２５の項番とを比較して、キー項番にヒットする項番に対応する、画像ＩＤおよび画像データを検索する。
【００９６】
表示制御部１３３は、検索した画像ＩＤおよび画像データの組と、評価テーブル１２６とを比較して、検索した画像ＩＤおよび画像データに対応する評価値を特定する。表示制御部１３３は、キー項番にヒットする項番の画像ＩＤおよび画像データについても同様にして、評価値を特定する。
【００９７】
たとえば、表示制御部１３３は、評価値の大きいものから順に、画像ＩＤおよび画像データを並べることで、事例画面ファイルの情報を生成する。図１７は、事例画面ファイルのデータ構造の一例を示す図である。図１７に示すように、事例画面ファイルは、項番と、優先順位と、画像ＩＤと、評価値と、画像データと、サムネイル画像とを対応付ける。
【００９８】
項番は、事例画面要求に設定されたキー項番を示すものである。優先順位は、画像データの優先順位を示すものであり、値が小さいものほど、優先度が高いことを意味する。たとえば、図９に示した、事例画面の一覧表示領域８１に表示する際の優先順に対応するものであり、最も優先度の高い画像データのサムネイル画像ほど、一覧表示領域８１の左側に表示される。
【００９９】
画像ＩＤは、画像データを一意に識別する情報である。評価値は、画像データの評価値を示すものである。画像データは、画像ＩＤに対応する画像データである。サムネイル画像は、画像データのサムネイル画像である。たとえば、表示制御部１３３は、もとの画像データを縮小することで、サムネイル画像を生成し、事例画面ファイルに登録する。なお、図１７に示した例では、事例画面ファイルに、評価値を含める場合を説明したが、各画像データの優先順を特定できれば、評価値を事例画面ファイルに含めなくてもよい。
【０１００】
また、表示制御部１３３は、キー項番にヒットする項番の画像データの数が、閾値以上となる場合には、評価値の大きい順に、各画像データをソートし、上位Ｎ個の画像データに関する情報を、事例画面ファイルに格納する。Ｎは、自然数であり、予め設定される。一方、表示制御部１３３は、キー項番にヒットする項番の画像データの数が閾値未満となる場合には、評価値の大きい順に、各画像データをソートして、事例画面ファイルに格納する。
【０１０１】
次に、本実施例に係る端末装置３０の処理手順の一例について説明する。図１８は、本実施例に係る端末装置の処理手順を示すフローチャートである。図１８に示すように、この端末装置３０は、指導員から撮影指示を受け付けると（ステップＳ１０１）、画像データを撮影する（ステップＳ１０２）。
【０１０２】
端末装置３０は、歩数を取得し（ステップＳ１０３）、歩数を更新する（ステップＳ１０４）。端末装置３０は、各種操作を受け付ける（ステップＳ１０５）。たとえば、各種操作は、拡大操作や、コメントの書き込みに対応する。
【０１０３】
端末装置３０は、記録画像ファイルに各情報を格納する（ステップＳ１０６）。たとえば、記録画像ファイルに格納する各情報は、端末ＩＤ、指導員ＩＤ、画像ＩＤ、コメント、項番、画像データ、撮影場所、歩数、拡大フラグ、コメントフラグに対応する。
【０１０４】
端末装置３０は、撮影終了でない場合には（ステップＳ１０７，Ｎｏ）、ステップＳ１０１に移行する。端末装置３０は、撮影終了である場合には（ステップＳ１０７，Ｙｅｓ）、記録画像ファイルを評価装置１００に送信する（ステップＳ１０８）。
【０１０５】
次に、本実施例に係る評価装置１００の処理手順の一例について説明する。図１９は、本実施例に係る評価装置の処理手順を示すフローチャートである。図１９に示すように、評価装置１００の受信部１３１は、端末装置３０から、記録画像ファイルを受信する（ステップＳ２０１）。
【０１０６】
受信部１３１は、記録画像ファイルを撮影情報テーブル１２５に登録する（ステップＳ２０２）。評価装置１００の評価部１３２は、撮影情報テーブル１２５の各画像データの特徴情報を基にして、各画像ＩＤの評価値を算出する（ステップＳ２０３）。評価部１３２は、評価テーブル１２６を更新する（ステップＳ２０４）。
【０１０７】
次に、本実施例に係る評価装置１００の効果について説明する。評価装置１００は、画像データを撮影する指導員の操作の特徴情報を基にして、各画像データの評価値を算出する。これにより、参考にするべきコンテンツであるか否かを評価することができる。この方法により評価することで、画像データを撮影した指導員等が、蓄積された各画像データを参照して画像データを評価する手間を無くすことができる。なお、本実施例ではコンテンツの一例として、画像データを用いて説明したが、これに限定されるものではなく、動画データであってもよい。
【０１０８】
評価装置１００は、チェック項目に対応する画像データを、端末装置３０に通知する場合に、評価値の高い画像データを優先して、端末装置３０に通知する。これにより、審査基準を理解するために、指導員が農場の管理者に参考にさせるべき画像データであるか否かを自動的に評価することができる。
【０１０９】
評価装置１００は、指導員の撮影時の歩数があまり増えていない間（同一場所）の撮影回数が多い画像データのグループについて、撮影回数の少ない画像データのグループと比較して、高い評価値を与える。同一場所において、撮影回数が多い場合には、画像データには、審査基準に関連した重要なポイントが含まれていると言えるので、画像データの評価値を適切に設定することができる。
【０１１０】
評価装置１００は、拡大操作が行われた画像データに対して、拡大操作が行われていない画像データよりも、評価値に加算する値を大きくする。拡大操作を行った画像データには、審査基準に関連した重要なポイントが含まれていると言えるので、画像データの評価値を適切に設定することができる。
【０１１１】
評価装置１００は、コメントが書き込まれた画像データに対して、コメントの書き込みが行われていない画像データよりも、評価値に加算する値を大きくする。コメントが書き込まれた画像データは、審査基準における良い例である場合が多いため、画像データの評価を適切に設定することができる。
【０１１２】
評価装置１００は、画像データを撮影した指導員が熟練者であるか否かに応じて、評価値を補正する処理を行う。これにより、熟練者の撮影した画像データの評価値をより大きくすることができ、評価値がより適切なものとなる。
【０１１３】
なお、評価装置１００は、その他の処理を行うことで、画像データに評価値を設定してもよい。たとえば、評価装置１００の評価部１３２は、指導員が撮影位置を変えないで、撮影角度をかえつつ、何度も撮影している場合に、より大きな評価値を画像データに与えてもよい。この処理を行う場合には、端末装置３０は、画像データが撮影される度に、ＧＰＳ（Global  Positioning  System）機能を用いて、撮影位置の情報を取得し、記録画像ファイルに撮影位置の情報を含めて、評価装置１００に送信するものとする。評価装置１００は、撮影位置の情報が含まれた記録画像ファイルの情報を、撮影情報テーブル１２５に登録しておく。
【０１１４】
評価装置１００は、撮影情報テーブル１２５を参照して、撮影位置の変化が閾値未満となる一連のレコードの集まりを特定し、特定したレコードの集まりについて、最初のレコードに対応する歩数と、最後のレコードに対応する歩数との差分が閾値以上である場合に、かかるレコードに属する画像データの評価値により大きな評価値を与える。すなわち、評価部１３２は、撮影位置は変わらず、歩数が閾値以上増加している場合に、撮影角度をかえつつ、何度も撮影していると判定する。たとえば、評価部１３３は、画像データが、上記の条件（撮影角度を変えつつ、何度も撮影しているという条件）を満たす場合に、式（１）により算出される値に、第３補正値を加える。第３補正値は予め設定されているものとする。
【０１１５】
次に、上記実施例に示した評価装置１００と同様の機能を実現するコンピュータのハードウェア構成の一例について説明する。図２０は、評価装置と同様の機能を実現するコンピュータのハードウェア構成の一例を示す図である。
【０１１６】
図２０に示すように、コンピュータ２００は、各種演算処理を実行するＣＰＵ２０１と、ユーザからのデータの入力を受け付ける入力装置２０２と、ディスプレイ２０３とを有する。また、コンピュータ２００は、記憶媒体からプログラム等を読み取る読み取り装置２０４と、有線または無線ネットワークを介して収録機器等との間でデータの授受を行うインターフェース装置２０５とを有する。また、コンピュータ２００は、各種情報を一時記憶するＲＡＭ２０６と、ハードディスク装置２０７とを有する。そして、各装置２０１〜２０７は、バス２０８に接続される。
【０１１７】
ハードディスク装置２０７は、受信プログラム２０７ａ、評価プログラム２０７ｂ、表示制御プログラム２０７ｃを有する。ＣＰＵ２０１は、各プログラム２０７ａ〜２０７ｃを読み出してＲＡＭ２０６に展開する。
【０１１８】
受信プログラム２０７ａは、受信プロセス２０６ａとして機能する。評価プログラム２０７ｂは、評価プロセス２０６ｂとして機能する。表示制御プログラム２０７ｃは、表示制御プロセス２０６ｃとして機能する。
【０１１９】
受信プロセス２０６ａの処理は、受信部１３１の処理に対応する。評価プロセス２０６ｂの処理は、評価部１３２の処理に対応する。表示制御プロセス２０６ｃの処理は、表示制御部１３３の処理に対応する。
【０１２０】
なお、各プログラム２０７ａ〜２０７ｃについては、必ずしも最初からハードディスク装置５０７に記憶させておかなくても良い。例えば、コンピュータ２００に挿入されるフレキシブルディスク（ＦＤ）、ＣＤ−ＲＯＭ、ＤＶＤ、光磁気ディスク、ＩＣカードなどの「可搬用の物理媒体」に各プログラムを記憶させておく。そして、コンピュータ２００が各プログラム２０７ａ〜２０７ｃを読み出して実行するようにしても良い。
【符号の説明】
【０１２１】
３０ａ，３０ｂ    端末装置
３５ａ，３５ｂ    カメラ
１００    評価装置
１１０    通信部
１２０    記憶部
１２１    ＪＧＡＰ基準データ
１２２    条件テーブル
１２３    指導員テーブル
１２４    検査テーブル
１２５    撮影情報テーブル
１２６    評価テーブル
１３０    制御部
１３１    受信部
１３２    評価部
１３３    表示制御部
【図１】
2019144644.tif 000003
【図２】
2019144644.tif 000004
【図３】
2019144644.tif 000005
【図４】
2019144644.tif 000006
【図５】
2019144644.tif 000007
【図６】
2019144644.tif 000008
【図７】
2019144644.tif 000009
【図８】
2019144644.tif 000010
【図９】
2019144644.tif 000011
【図１０】
2019144644.tif 000012
【図１１】
2019144644.tif 000013
【図１２】
2019144644.tif 000014
【図１３】
2019144644.tif 000015
【図１４】
2019144644.tif 000016
【図１５】
2019144644.tif 000017
【図１６】
2019144644.tif 000018
【図１７】
2019144644.tif 000019
【図１８】
2019144644.tif 000020
【図１９】
2019144644.tif 000021
【図２０】
2019144644.tif 000022